(57)【要約】      （修正有）【課題】ロッド形状のケーシング（１１）を有するポケットランプに関する。本考案の課題は、ポケットランプのための、構造的に簡単に構成されているアプリケーションを提案することであり、このアプリケーションが、必要な場合に、このポケットランプの自由な利用可能性を阻止せず、且つ場合によっては、他の構成によれば、アプリケーションに対して交換可能である。【解決手段】このケーシング外套の上に、基本的に半径方向または接線方向に突出する、または飛行機翼部またはロケット翼部２０、２１；２６、２７；２８、２９；３１、３２；３５、３６、３７、または車軸のための保持部として形成された扁平成形体を有する、有利には環形状または部分環形状の本体１９が、解離可能に、差し込まれており、押し込まれており、またはクリップ止めされている。【選択図】図１
0003118635.tif 000002
【実用新案登録請求の範囲】
【請求項１】
ロッド形状のケーシング（１１）を有するポケットランプにおいて、
このケーシング外套の上に、基本的に半径方向または接線方向に突出する、または飛行機翼部またはロケット翼部（２０、２１；２６、２７；２８、２９；３１、３２；３５、３６、３７）、または車軸のための保持部として形成された扁平成形体を有する、有利には環形状または部分環形状の本体（１９）が、解離可能に、差し込まれており、押し込まれており、またはクリップ止めされていることを特徴とするポケットランプ。
【請求項２】
扁平成形体は、有利には、１８０°、または１２０°の角度間隔を有していることを特徴とする請求項１に記載のポケットランプ。
【請求項３】
複葉飛行機支持面を具現しており、且つ、有利には２つの更に別のＸ字形のフレーム（３３）を介して安定化されている、２つの平行な扁平成形体から成る扁平成形体対（３１、３２）を備えていることを特徴とする請求項１に記載のポケットランプ。
【請求項４】
部分環形状の本体（１９）は、弾性的な薄板成形体であり、この薄板成形体が、有利には、基本的に半径方向または接線方向に突出する扁平成形体と共に、１つの部材から成る本体を形成していることを特徴とする請求項１から３のいずれか一つに記載のポケットランプ。
【請求項５】
ケーシング外套（１１）は、円筒形に形成されていることを特徴とする請求項１から４のいずれか一つに記載のポケットランプ。
【請求項６】
環形状または部分環形状の本体に、ロッド（２４）が固定されており、このロッドの自由な端部に、スタンド脚部（２５）が設けられていることを特徴とする請求項１から５のいずれか一つに記載のポケットランプ。
【請求項７】
端側面の内の１つの端側面に尖り部材（３０）が差し込み可能、またはねじ固定可能であり、有利には、光射出側に、光透過性の材料から成る部分的に円錐形の尖り部材（３０）が固定されていることを特徴とする請求項１から６のいずれか一つに記載のポケットランプ。
【考案の詳細な説明】
【技術分野】
【０００１】
本考案は、ロッド形状のケーシングを有するポケットランプに関する。
【背景技術】
【０００２】
ポケットランプは、至る所で、如何なる配電電圧でもって作動される照明装置も存在いないか、それとも停電によって使用することができないところで、不可欠の補助具である。同様に自然界内における無灯火の道の上でも、または、同様に暗闇において呼び鈴標識を隈なく照らすためにも、ポケットランプは不可欠である。最近まで、これらポケットランプは、基本的に可能な限り長い時間間隔にわたって、十分なバッテリー容量が使用に供せられねばならないことによって限定された、かさ高の形状を有していた。本来使用される白熱電球は、公知のように、供給されたエネルギーの大部分を熱に変換し、どんな場合でも、白熱電球作動される照明器具の電流必要量は比較的に大きい。
【０００３】
その間に更に発展させられた発光ダイオードが救済策を提供し、この発光ダイオードの電流必要量は、明確に比較的に僅かであり、且つ、一部は同様に小さな電池セルまたは蓄電池セルによっても供給され得る。これら使用される発光ダイオードは、白熱電球よりも、それに加えて著しく小さく、且つ同様に耐衝撃的、および耐衝突的でもあり、このことは、総じて、明確に比較的に長い全耐用期間を誘起する。これらダイオード、および使用可能な小型電池セルは、同様にランプを小型化することにも役立ち、従って、例えば５ｃｍ以下の長さ、および１ｃｍ以下の直径を有する構造容積が実現可能である。
【０００４】
それらランプの光射出側と相対して位置している電池仕切り蓋がアイレットを備えており、このアイレットを通ってリングまたはトライアングル要素が差し込まれ、従ってこのようなランプが同様に鍵束ペンダントとしても構成される、ロッド形状のランプも、市場で入手可能である。
【０００５】
要するに、
ドイツ連邦共和国実用新案第２０１  ０４  １７１号明細書（特許文献１）によって、
少なくとも基本的にロッド形状ケーシングを有するポケットランプが公知であり、このケーシングが、外套に沿って、押圧スイッチまたはスライドスイッチを、一つまたは多数の設けられた光源のために有している。クリップが、この押圧スイッチまたはプッシュスイッチを、故意でない操作をしないように覆っている。切替スイッチの露出のため、または、押圧スイッチの押え付けのために、このクリップは、１つの部材から成る本体の構成のもとで、ケーシング外套を少なくとも部分的に囲繞する、および場合によっては予負荷のもとでこのケーシング外套に密接する環状体−または部分環状成形体と結合されている。
上記のポケットランプを視覚的に価値を引き上げるために、外套を印刷すること、またはその他のアプリケーションを備えることの可能性が存在する。
【特許文献１】ドイツ連邦共和国実用新案第２０１  ０４  １７１号明細書
【考案の開示】
【考案が解決しようとする課題】
【０００６】
従って、本考案の課題は、ポケットランプのための、構造的に簡単に構成されているアプリケーションを提案することであり、このアプリケーションが、必要な場合に、このポケットランプの自由な利用可能性を阻止せず、且つ場合によっては、他の構成によれば、アプリケーションに対して交換可能である。
【課題を解決するための手段】
【０００７】
この課題は、請求項１によるポケットランプによって解決され、このポケットランプが、本考案により、ケーシング外套の上に、環形状または部分環形状の本体を解離可能に差し込まれており、押し込まれており、またはクリップ止めされており、この本体が、半径方向または接線方向に突出する、且つ飛行機翼部、またはロケット翼部、または車軸のための保持部として形成された扁平成形体を有していることによって特徴付けられている。
【考案の効果】
【０００８】
環形状または部分環形状の本体は、この本体が、何の問題も無く、場合によっては同様に必要な場合にも、取り外されもしくは交換され得るという利点を有している。このロッド状ポケットランプのケーシングは、飛行機胴体部、またはロケット胴体部、もしくは様式化された自動車車体としての印象を与え、従って、これらポケットランプが、これらポケットランプの機能的な要素のほかに、装飾物として、例えばデスクの上、ガラス戸棚内、または乗用車内において懸架された状態で、または他の何らかの方法で固定された状態で使用される。
【０００９】
本考案の更なる発展は、従属請求項内において記載されている。従って、半径方向に突出する扁平成形体は、有利には、１８０°（飛行機の模倣の場合）、または１２０°（ロケットの模倣の場合）の角度間隔を備えている。これら扁平成形体は、適当な方法で、後方へと曲げられており、且つ、半径方向に突出する部分において、台形状または三角形状に形を整えられている。
【００１０】
更に別の実施形態において、（飛行機の）複葉飛行機支持面を具現しており、且つ、有利には２つの更に別のＸ字形のフレームを介して安定化されている、２つの平行な扁平成形体から成る扁平成形体対を備えている。これら両方の扁平成形体の間隔は、有利には、ポケットランプの外套直径と同じか、もしくはほんの少しだけ小さく選択され、従って、このポケットランプが、締め付ける状態で、両方の成形体の間に差し込まれる。本考案の更に別の実施形態に従い、扁平成形体は貫通開口部を有しており、この貫通開口部がこのポケットランプのスイッチオン−オフボタンの貫通案内に適している。
【００１１】
有利には、部分環形状の本体が使用され、この部分環形状の本体が、弾性的な薄板成形体として形成されており、この薄板成形体が、有利には、半径方向または接線方向に突出する扁平成形体と共に、１つの部材から成る本体を形成している。この部分環形状の本体の容易な拡開によって、この部分環形状の本体は、容易に、ポケットランプの上にクリップ止めまたは取り外し可能である。
【００１２】
基本的に、ロッド形状のランプケーシングは、多角形の、長円形の、または円形の断面形状を備えることは可能であり、有利には、しかしながら円筒形のケーシング外套が使用される。
【００１３】
本考案の更に別の実施形態に従い、環形状または部分環形状の本体は、ロッドと結合されており、このロッドの自由な端部に、スタンド脚部が設けられている。このようにして、飛行機アプリケーション、またはロケットアプリケーションを備えるポケットランプは、スタンドを有するオブジェとなり、このオブジェが、デスクの上、カウンター、または窓口に配置される。
【００１４】
要するに、本考案の更に別の実施形態に従い、端側面の内の１つの端側面に尖り部材が差し込み可能、またはねじ固定可能であり、有利には、光射出側に、光透過性の材料から成る部分的に円錐形の尖り部材が固定されている。光線は、その場合に、この尖り部材を通して射出し、従って、それぞれの屈折率に応じて、付加的に、ジェット戦闘機尖り部またはロケット尖り部の視覚的な作用と並んで、光散乱効果が形成される。
【００１５】
次に、本考案の更に別の実施形態、およびこれら実施形態の利点を、図に基づいて説明する。
【考案を実施するための最良の形態】
【００１６】
全ての図に使用されるポケットランプは、従来技術により公知である。このポケットランプ１０は、ランプヘッド１２を有する円筒形の本体１１を備えており、このランプヘッドが、今ここで問題になっている当該のケースにおいて、貫通開口部１３を備えている。端側面１４は、光射出側である。有利には、このポケットランプは、一つまたは多数のＬＥＤを装着されている。後方の端部に、このポケットランプは、ねじって取り外し可能なキャップを備えており、このキャップが、部分球形状の本体１５を備えており、この部分球形状の本体が、トライアングル形状の部材を収容するための穿孔を有しており、このトライアングル形状の部材が、更に別の延長部片、および最後には、鍵環１７と結合されている。このポケットランプは、押しボタン１８（図３から図７までを参照）を介して、スイッチ入れ、およびスイッチ切り可能であり、その際、この押しボタンが、切替スイッチまたはキースイッチとして形成されている。
【００１７】
本考案により、ケーシング外套の上で、部分環形状の本体１９が、押し込み可能、またはクリップ止め可能であり、この部分環形状の本体は、今ここで問題になっている当該のケースにおいて、１８０°以上の、即ち例えば２００°の角度を擦過する（ueberstreicht）。この部分環状体１９は、薄い板金から成り、且つ弾性的であり、従って、この部分環状体が、円筒形のランプ柄部を部分的に囲繞可能である。この部分環形状の本体の端部側で、扁平成形体２０および２１が設けられており、これら扁平成形体が、少なくとも半径方向に突出している。この部分環状体１９の上記の角度量に基づいて、１つの面内において存在するこれら扁平成形体２０および２１は、即ちこれら扁平成形体２０および２１が、ロケットの中心点横断断面に対して平行の面内において存在するように、ほんの少しだけ高さにおいて上方に移動されている。これら扁平成形体２０および２１は、突出するとがらせ部２２および２３を備えており、従って、クリップ止めされた成形体１９から２３までが、図２から見て取れるように、ジェット機としての連想を生じさせる。
【００１８】
図３において、部分環形状の本体１９は、下側面に、ロッド２４を備えており、このロッドの自由な端部に、スタンド脚部２５が固定されている。このようにして、ポケットランプ１０は、デスクの上、ガラス戸棚の内、等々、での装飾オブジェとして、配置され得る。必要な場合に、このポケットランプ１０は、迅速に、容易に拡開される部分環状体１９から解離され得、従って、このランプが、個別部材として取り出される。部分１９から２３までから成るアプリケーションは、１つの部材から成り、且つ、折曲げによって図１から３までに図示されているように成形されている、打ち抜き加工された薄板ストリップから成っている。図４に従う実施形態は、突出する部分２２および２３が設けられていなく、従って図４がグライダーへの連想を生じさせるという条件付で、図１および２に図示された実施形態に相応している。
【００１９】
図５による実施形態の場合、部分環形状の本体１９に、２つの突出する扁平成形体２８、２９が固定されており、これら扁平成形体は、同様に、中心横断断面に対して僅かに位置ずれされた面内に存在し、且つ、これら翼部２８、２９が、前方側、および後方側に突出する部分を備えており、従って軍用ジェット機への連想を生じさせるように形成されている。付加的に、光射出開口部内に尖り部材３０が差込可能であり、この尖り部材は、前方へと先細りの状態に終わっており、且つアクリルのような光透過性の材料から成っている。
【００２０】
図６は、「複葉」の飛行機型式を示しており、この飛行機型式の場合、２つの直通の扁平成形体３１および３２が、接線方向に、ポケットランプ１０の外套に密接している。今ここで問題になっている当該のケースにおいて、上側の翼部３１は貫通開口部を備えており、この貫通開口部を通って、切替式スイッチ１８が貫通突出している。これら翼部３１および３２は、このポケットランプ１０の直径と同じ大きさの間隔を備えているか、またはほんの少しだけ小さな間隔である。これら翼部３１および３２は、付加的に、Ｘ字形のフレーム３３と結合されており、２つの飛行機のプロペラの連想を生じさせるために、これらフレームが、相対的に隔たりのある状態で、これら翼部３１および３２の前方縁部に固定されている。これら翼部３１および３２、即ち支持面は、専ら、Ｘ字形のフレームを介して、または、同様に付加的に、図示されていない部分環状体または環状体によってだけ、このポケットランプのケーシング外套の上で固定される。
【００２１】
図７は、１つの実施形態を示しており、この実施形態の場合、ロケットの連想を生じさせる。ポケットランプ１０は、前方側で、円錐形の尖り部材３０を備えている。ケーシング外套の後方の端部に、２７０°の角度量にわたって延びている、３つの半径方向に突出する翼部３５、３６および３７を備えている部分環状体３４が押し込まれている。翼部３５は、１つの部材から成るように形成され変形された、部分３４、３６および３７から成る薄板体に沿って付着、またははんだ付けされている。図３から見て取れるように、図４から７に至るまで内において図示された実施形態は、同様に、スタンドの上に固定され得る。
【００２２】
全ての実施形態は、  −単なる、目的に適合されたポケットランプ円筒形状と比較して−  装飾具としてガラス戸棚内およびデスクの上に横にして置くこと、または立てて置くことが可能である、差込可能なアプリケーションを備える対象を構成し、このことは、必要な場合に、このポケットランプが、即座に見つけ出し可能であり、且つ手の届く、および、引き出し内において捜し求められる必要がないという利点を有している。
【００２３】
本考案の領域内において、その実施形態において、突出する扁平体が車輪軸またはその他の車両床シャーシと結合されている実施形態も可能である。この場合には、ポケットランプは、適当な部分環状体を介して車輪を備えている、自動車−、またはトラック−、またはトレーラ−胴体部の具現体として使用される。
【図面の簡単な説明】
【００２４】
【図１】分解図示における、ロッド形状のポケットランプ、並びに、扁平成形体を有するクリップ止め可能な本体の図である。
【図２】組立てられた状態における、図１による実施形態の図である。
【図３】スタンドを備える、図１および２による実施形態の変形の図である。
【図４】異なって造形された扁平成形体を有する、図３に対して別の実施形態の図である。
【図５】クリップ止め可能な部分環形状の本体１９、および突出する扁平成形体、並びに円錐形の尖り部材を有する、本考案の更に別の実施形態の分解図である。
【図６】「複葉飛行機」としての、本考案の更に別の実施形態の図である。
【図７】「ロケット」−模造品としての、本考案の実施形態の図である。
【符号の説明】
【００２５】
１０  ポケットランプ
１１  円筒形の本体、  ケーシング、  ケーシング外套
１２  ランプヘッド
１３  貫通開口部
１４  端側面
１５  部分球形状の本体
１７  鍵環
１８  押しボタン
１９  部分環形状の本体、  部分環状体
２０、  ２１  扁平成形体
２２、  ２３  とがらせ部
２４  ロッド
２５  スタンド脚部
２６、  ２７  
２８、  ２９  扁平成形体
３０  尖り部材
３１、  ３２  扁平成形体、  翼部
３３  フレーム
３４  部分環状体
３５、  ３６、  ３７  翼部
【図１】
0003118635.tif 000003
【図２】
0003118635.tif 000004
【図３】
0003118635.tif 000005
【図４】
0003118635.tif 000006
【図５】
0003118635.tif 000007
【図６】
0003118635.tif 000008
【図７】
0003118635.tif 000009